(57)【要約】【課題】フイルム収容袋内に瓶、缶類その他の廃棄物を収容したまま回転ドラム３内に投入し、瓶、缶類とフイルム収容袋とを大別分離する回転ドラム３を得ることを目的とする。【解決手段】機枠１上に遊支した４個の小受ローラ２上に回転ドラム３を支持し、該ドラム３の前端板４には同心円形投入口５を開口し、該ドラム３の後端面６を開放してなり、上記ドラム３の前半内周面７に搬送螺旋条８を設け、該螺旋条８の内周縁８’に沿って破袋刃９を連設し、上記ドラム３の後半円板１０に複数の破砕ゴミ類排出透孔１１を穿設してトロンメル１２を形成し、該トロンメル１２の内周面の搬送撹拌羽根１３を間隔を置いて設けてなる瓶、缶、その他のゴミ類・収容袋分離装置。【選択図】  図１
2004255257.tif 000002
【特許請求の範囲】
【請求項１】
機枠上に遊支した４個の小受ローラ上に回転ドラムを支持し、
該ドラムの前端板には同心円形投入口を開口し、該ドラムの後端面を開放してなり、
上記ドラムの前半内周面に搬送螺旋条を設け、該螺旋条の内周縁に沿って破袋刃を連設し、
上記ドラムの後半円板に複数の破砕ゴミ類排出透孔を穿設してトロンメルを形成し、
該トロンメルの内周面の搬送撹拌羽根を間隔を置いて設けてなる瓶、缶、その他のゴミ類・収容袋分離装置。
【請求項２】
上記トロンメルの直下に破砕ゴミ類落下ホッパを設け、上記後端面の直下に収容袋その他の回収シュートを設けてなる請求項１記載の瓶、缶、その他のゴミ類・収容袋分離装置。
【請求項３】
破袋刃が上記螺旋条の内周縁上にジグザグ状に設けた請求項１又は２記載の瓶、缶、その他のゴミ類・収容袋分離装置。
【発明の詳細な説明】
【０００１】
【発明の属する技術分野】
本発明は市町村、観光地及び家庭用排出ゴミ袋類（瓶、缶、その他のゴミ類）を破砕し、ゴミ類とそのビニール等の収容袋とを分離する装置に関するものである。
【０００２】
【従来の技術】
従来の破袋、除袋機は、機器本体の外側（フレーム本体）は固定され、機器本体の内部軸、羽根等が回転し破袋し、除袋した。
【０００３】
しかし軸、羽根の回転のため、大きい袋や長い物は、破袋刃に引っ掛ったり、回転羽根に引っ掛り、最終的には、回転羽根に破袋が巻き込み、破袋や除袋効率が低下し、回転軸が過負荷により動かなくなることがあった。
【０００４】
又従来の破袋、除袋機は、破袋された後、袋の中に残った瓶類や缶類を袋より篩い落とすことが困難であった。
【０００５】
又廃棄石膏ボードと表皮との分離トロンメルが開発されている（例えば特許文献１）。
【０００６】
しかし廃棄石膏ボードの破砕及び粉砕は容易であるが、瓶、缶等の衝撃破砕又は破袋を上記トロンメル内で行うことは困難であるばかりでなく瓶や缶その他のゴミ類と、これを収容する収容袋との分離を１個の分離トロンメルで行うことは困難であった。
【０００７】
【特許文献１】
特開２００２−２５４０３２号公報（図３）
【０００８】
【発明が解決しようとする課題】
本発明はビニール袋のように合成樹脂収容袋に収容された瓶、缶類その他の廃棄物を破砕又は変形縮小し、収容袋をこれらの収容物から安全に分離することを目的とする。
【０００９】
【課題を解決するための手段】
上記の目的を達成するため本発明は
第１に機枠上に遊支した４個の小受ローラ上に回転ドラムを支持し、該ドラムの前端板には同心円形投入口を開口し、該ドラムの後端面を開放してなり、上記ドラムの前半内周面に搬送螺旋条を設け、該螺旋条の内周縁に沿って破袋刃を連設し、上記ドラムの後半円板に複数の破砕ゴミ類排出透孔を穿設してトロンメルを形成し、該トロンメルの内周面の搬送撹拌羽根を間隔を置いて設けてなる瓶、缶、その他のゴミ類・収容袋分離装置、
第２に上記トロンメルの直下に破砕ゴミ類落下ホッパを設け、上記後端面の直下に収容袋その他の回収シュートを設けてなる上記第１発明記載の瓶、缶、その他のゴミ類・収容袋分離装置、
第３に破袋刃が上記螺旋条の内周縁上にジグザグ状に設けた上記第１又は第２発明記載の瓶、缶、その他のゴミ類・収容袋分離装置、
によって構成される。
【００１０】
【発明の実施の形態】
水平（図１）又は前か後に下向に傾斜（例えば図１右方に約８度）させた機枠１の前部及び後部にそれぞれ２個の小受ローラ２，２及び２，２を軸受台２’，２’に遊支する。
【００１１】
上記前後４個の小受ローラ２，２及び２，２上に回転ドラム３の前後外周に設けた支持帯１７，１７を支持して該ドラム３を機枠１上に遊動自在に支持する。
【００１２】
上記ドラム３の前端板４の外周には歯車１８を形成し、該歯車１８に噛合する無端チエン１９を、機枠１上に設けた駆動モータ２０の出力軸に設けた駆動歯車２１に掛回し、該駆動歯車２１の回動によって上記ドラム３を図２矢印ａ方向に回動させることができる。
【００１３】
上記ドラム３の前端板４には該ドラム３と同心円形の投入口５を開口し、該ドラム３の後端面６を開放する。
【００１４】
上記投入口５には機枠１に設けた瓶や缶等のゴミ類を収容した合成樹脂製フイルム袋用の投入シュート２２を固定して設ける。
【００１５】
このようにした上記ドラム３の前半内周面３’（図５（イ）（ロ）図）には上記フイルム袋を後方に搬送するための螺旋条８を溶接２３（図５（イ）図）により固定して設け、
上記螺旋条８の内周縁８’に沿って回転方向ａとほぼ直交し、該方向ａとは反対方向に傾斜する破袋刃９を図５（イ）（ロ）図に示すようにボルト１３でジグザグ状に連設する。
【００１６】
上記ドラム３の後半円板１０には多数の破砕ゴミ類排出透孔１１（丸孔、長孔等）を整然と穿設してトロンメル１２を形成し、該後半円板１０の内周面に沿って搬送撹拌羽根１４を開き角９０度毎に間隔を置いて設ける。
【００１７】
上記トロンメル１２の直下に破砕ゴミ類（瓶や缶等）の落下ホッパ１５を設け、上記後端面６の直下に収容袋を主とする雑物の回収シュート１６を設けてなる装置である。
【００１８】
上記搬送撹拌羽根１４は図４に示すように上部１４’を搬送側に屈曲させる。
【００１９】
従って投入シュート２２から上記瓶、缶及びその他のゴミ類を収容したフイルム収容袋を上記ドラム３の内部に投入し、かつ駆動モータ２０を始動することによって上記ドラム３を矢印ａの方向に回動させる。
【００２０】
上記回動により上記収容袋は搬送螺旋条８の螺動によって前部から後部に移動し、かつ上記ドラム３の内周面の上昇に伴って上昇及び自重落下を繰返し、落下衝撃によって瓶、缶は偏平に衝撃圧縮屈曲されて縮小し後方に搬送される。
【００２１】
又上記収容袋も破袋刃９によって上昇及び落下を繰返しかつ該刃９によって破袋されて後方に搬送される。
【００２２】
後方に搬送された瓶及び缶は上記ドラム３の後半のトロンメル１２に至り、上記撹拌羽根１４の回動によって上昇及び落下し、上記破砕ゴミ類排出透孔１１から上記ドラム３外に排出され、破砕ゴミ類落下ホッパ１５内に落下し機外に排出され、排出コンベヤを経て選別機に輸送される。
【００２３】
又破袋された上記収容袋や破砕、粉砕又は圧縮縮小不能で上記透孔１１から排出されないゴミ類（例えば木やゴム等）は上記撹拌羽根１４によってドラム３の後端に搬送され開放された後端面６から回収シュート１６に落下し、コンベヤによて次の洗浄、選別工程に移送される。
【００２４】
【発明の効果】
本発明は上述のように構成したのでフイルム収容袋内に瓶や缶その他の割れ物やゴミ類を収容した状態のまま回転ドラム内に投入し、回転ドラムの前半で瓶や缶その他の割れ物を破砕及び破袋して、これを後半のトロンメルから機外に排出し得て次の選別工程に搬送し得るばかりでなく、
破砕及び粉砕し得ない収容袋やその他のゴミ類を破袋又は破壊し得て、これを上記ドラムの後端から落下し次工程に搬送し得て瓶、缶類とフイルム収容袋とを大別分離し、それぞれ別の次工程に移送し得る効果がある。
【図面の簡単な説明】
【図１】（イ）図は本発明の瓶、缶、その他のゴミ類・収容袋分離装置を示す側面図である。
（ロ）図はトロンメル部の他の実施例の側面図である。
【図２】図１Ａ−Ａ線による縦断背面図である。
【図３】図１Ｂ−Ｂ線による正面図である。
【図４】図１Ｃ−Ｃ線による縦断正面図である。
【図５】（イ）図は図２Ｄ−Ｄ線による拡大横断面図である。
（ロ）図は（イ）図の側面図である。
【符号の説明】
１      機枠
２      小受ローラ
３      回転ドラム
４      前端板
５      同心円形投入口
６      後端面
７      前半円周面
８      搬送螺旋条
８’    内周縁
９      破袋刃
１０      後半円板
１１      破砕ゴミ類排出透孔
１２      トロンメル
１４      搬送撹拌羽根
１５      破砕ゴミ類落下ホッパ
１６      回収シュート
【図１】
2004255257.tif 000003
【図２】
2004255257.tif 000004
【図３】
2004255257.tif 000005
【図４】
2004255257.tif 000006
【図５】
2004255257.tif 000007